(57)【要約】【課題】地上アナログ放送の停波後は、地上アナログ放送用チューナ部への電源の供給を停止することが可能なＴＶ放送受信機を提供することを目的とする。【解決手段】本発明は、地上アナログ放送用チューナ部（０１０１）と、地上デジタル放送用チューナ部（０１０２）と、各チューナ部の選局を受付けるチャンネル選択部（０１０３）と、地上アナログ放送の停波にともなう地上アナログ放送用チューナの利用終了情報を取得する利用終了情報取得部（０１０４）と、取得した利用終了情報に応じて地上アナログ放送用チューナ部への電源（０１３０）の供給を停止する電源制御部（０１０５）とを有するＴＶ放送受信機（０１００）を提供する。【選択図】図１
2008118193.tif 000002
【特許請求の範囲】
【請求項１】
地上アナログ放送用チューナ部と、
地上デジタル放送用チューナ部と、
各チューナ部の選局を受付けるチャンネル選択部と、
地上アナログ放送の停波にともなう地上アナログ放送用チューナの利用終了情報を取得する利用終了情報取得部と、
取得した利用終了情報に応じて地上アナログ放送用チューナ部への電源の供給を停止する電源制御部と、
を有するＴＶ放送受信機。
【請求項２】
取得した利用終了情報に応じてチャンネル選択部における地上アナログ放送用チューナ部の選局の受付けを停止するチャンネル選択部制御部をさらに有する請求項１に記載のＴＶ放送受信機。
【請求項３】
取得した利用終了情報に応じてチャンネル選択部における地上アナログ放送用チューナ部の選局をその後受付けた場合には地上アナログ放送の停波を示すメッセージを表示する報知部をさらに有する請求項１又は２に記載のＴＶ放送受信機。
【請求項４】
利用終了情報取得部は、地上デジタル放送用チューナ部から取得した信号を復調した後の誤り訂正部のエラー判定により地上デジタル放送の開始を検知することで地上アナログ放送用チューナの利用終了情報とする地上デジタル放送開始検知手段を有する請求項１から３のいずれか一に記載のＴＶ放送受信機。
【請求項５】
地上アナログ放送用チューナ部と、地上デジタル放送用チューナ部と、各チューナ部の選局を受付けるチャンネル選択部とを有するＴＶ放送受信機の動作方法であって、
地上アナログ放送の停波にともなう地上アナログ放送用チューナの利用終了情報を取得する利用終了情報取得ステップと、
取得した利用終了情報に応じて地上アナログ放送用チューナ部への電源の供給を停止する電源制御ステップと、
を有するＴＶ放送受信機の動作方法。
【請求項６】
取得した利用終了情報に応じてチャンネル選択部における地上アナログ放送用チューナ部の選局の受付けを停止するチャンネル選択部制御ステップをさらに有する請求項５に記載のＴＶ放送受信機の動作方法。
【請求項７】
取得した利用終了情報に応じてチャンネル選択部における地上アナログ放送用チューナ部の選局をその後受付けた場合には地上アナログ放送の停波を示すメッセージを表示する報知ステップをさらに有する請求項５又は６に記載のＴＶ放送受信機の動作方法。
【請求項８】
利用終了情報取得ステップは、地上デジタル放送用チューナ部から取得した信号を復調した後の誤り訂正部のエラー判定により地上デジタル放送の開始を検知することで地上アナログ放送用チューナの利用終了情報とする地上デジタル放送開始検知ステップを有する請求項５から７のいずれか一に記載のＴＶ放送受信機の動作方法。
【発明の詳細な説明】
【技術分野】
【０００１】
本発明は、地上波アナログ放送の停波に伴い、地上アナログ放送用チューナ部への電源の供給を停止するＴＶ放送受信機に関する。
【背景技術】
【０００２】
近年、２０１１年の地上波アナログ放送から地上デジタル放送への完全移行に向け、その移行準備が進められている。これに伴い、地上デジタル放送を受信するための地上デジタル放送用チューナを内蔵したＡＶ装置が販売されているが、地上デジタル放送の開始時期は各地域にて異なり、地上アナログ放送と地上デジタル放送の混在する期間が続くことから、多くのＡＶ装置は地上アナログ放送用チューナと地上デジタル放送用チューナの両方を搭載している。
【０００３】
しかし、地上デジタル放送が開始され地上デジタル放送が視聴できるようになった後においては、地上アナログ放送用チューナは不必要となる。そこで、特許文献１には、アナログ放送とデジタル放送を選択的に切り換えて出力することのできる放送受信装置が開示されている。これによれば、所定の放送への切り換えを行うことによって無用な受信動作の実行を防止することができる。
【特許文献１】特開２００６−８６８６４号公報
【発明の開示】
【発明が解決しようとする課題】
【０００４】
しかし、特許文献１に記載の放送受信装置は、所定の放送波以外の放送波の受信動作の実行を防止するが、使用しない放送用チューナへの電源供給は行われたままである。そのため、無駄な電力を消費している。
【課題を解決するための手段】
【０００５】
上記課題を解決するために、（１）本発明は、地上アナログ放送用チューナ部と、地上デジタル放送用チューナ部と、各チューナ部の選局を受付けるチャンネル選択部と、地上アナログ放送の停波にともなう地上アナログ放送用チューナの利用終了情報を取得する利用終了情報取得部と、取得した利用終了情報に応じて地上アナログ放送用チューナ部への電源の供給を停止する電源制御部と、を有するＴＶ放送受信機を提供する。また（２）本発明は、取得した利用終了情報に応じてチャンネル選択部における地上アナログ放送用チューナ部の選局の受付けを停止するチャンネル選択部制御部をさらに有するＴＶ放送受信機を提供する。また、（３）本発明は、取得した利用終了情報に応じてチャンネル選択部における地上アナログ放送用チューナ部の選局をその後受付けた場合には地上アナログ放送の停波を示すメッセージを表示する報知部をさらに有するＴＶ放送受信機を提供する。さらに、（４）本発明は、利用終了情報取得部が、地上デジタル放送用チューナ部から取得した信号を復調した後の誤り訂正部のエラー判定により地上デジタル放送の開始を検知することで地上アナログ放送用チューナの利用終了情報とする地上デジタル放送開始検知手段を有するＴＶ放送受信機を提供する。
【０００６】
また、（５）本発明は、地上アナログ放送用チューナ部と、地上デジタル放送用チューナ部と、各チューナ部の選局を受付けるチャンネル選択部とを有するＴＶ放送受信機の動作方法であって、地上アナログ放送の停波にともなう地上アナログ放送用チューナの利用終了情報を取得する利用終了情報取得ステップと、取得した利用終了情報に応じて地上アナログ放送用チューナ部への電源の供給を停止する電源制御ステップと、を有するＴＶ放送受信機の動作方法を提供する。また、（６）本発明は、取得した利用終了情報に応じてチャンネル選択部における地上アナログ放送用チューナ部の選局の受付けを停止するチャンネル選択部制御ステップをさらに有するＴＶ放送受信機の動作方法を提供する。また、（７）本発明は、取得した利用終了情報に応じてチャンネル選択部における地上アナログ放送用チューナ部の選局をその後受付けた場合には地上アナログ放送の停波を示すメッセージを表示する報知ステップをさらに有するＴＶ放送受信機の動作方法を提供する。さらに、（８）本発明は、利用終了情報取得ステップが、地上デジタル放送用チューナ部から取得した信号を復調した後の誤り訂正部のエラー判定により地上デジタル放送の開始を検知することで地上アナログ放送用チューナの利用終了情報とする地上デジタル放送開始検知ステップを有するＴＶ放送受信機の動作方法を提供する。
【発明の効果】
【０００７】
本発明のＴＶ放送受信機によれば、地上アナログ放送の停波を検知し、地上アナログ放送用チューナ部への電源供給を停止させることができる。これにより、ユーザは煩わしい操作を行うことなく、地上アナログ放送から地上デジタル放送への受信切り換えを行うことができるとともに、地上アナログ放送用の信号処理回路等の使用電力を削減することができる。
【０００８】
また、本発明は、地上デジタル放送の開始を検知することにより、地上アナログ放送用チューナ部への電源供給を停止させることができる。これにより、地上アナログ放送の停波時期によらず、地上デジタル放送が開始された段階で地上デジタル放送に移行することができるため、地上アナログ放送用チューナ部の使用電力を削減することができる。
【発明を実施するための最良の形態】
【０００９】
以下に図面を用いて本発明の実施の形態を説明する。なお、本発明は、これらの実施の形態に限定されるものではなく、その要旨を逸脱しない範囲において、種々なる態様で実施しうる。なお、実施形態１は、主に請求項１、５について説明する。実施形態２は、主に請求項２、６について説明する。実施形態３は、主に請求項３、７について説明する。実施形態４は、主に請求項４、８について説明する。
【００１０】
<<実施形態１>>
<実施形態１の概要>
本実施形態は、地上アナログ放送の停波にともない、地上アナログ放送用チューナ部への電源の供給を停止することが可能なＴＶ放送受信機に関する。
【００１１】
<実施形態１の構成>
図１は、本実施形態の機能ブロックの一例を示している。本実施形態の「ＴＶ放送受信機」（０１００）は、「地上アナログ放送用チューナ部」（０１０１）と、「地上デジタル放送用チューナ部」（０１０２）と、「チャンネル選択部」（０１０３）と、「利用終了情報取得部」（０１０４）と、「電源制御部」（０１０５）を有する。
【００１２】
本発明の「ＴＶ放送受信機」（０１００）は、「地上アナログ放送用チューナ部」（０１０１）と、「地上デジタル放送用チューナ部」（０１０２）とを有する。「地上アナログ放送用チューナ部」（０１０１）は、地上アナログ放送用チューナ、地上アナログ放送用処理回路などからなり、アンテナ（０１１０）を介して地上アナログ放送波を受信するように構成されている。また、「地上デジタル放送用チューナ部」（０１０２）は、地上デジタル放送用チューナ、地上デジタル放送用復調器などからなり、アンテナ（０１２０）を介して地上デジタル放送波を受信するように構成されている。各チューナ部（０１０１、０１０２）は、放送波の種類に応じて独立して使用される構成のみを含み、放送波の種類によらず共通して使用される処理回路等は各チューナ部には含まれないものとする。
【００１３】
「チャンネル選択部」（０１０３）は、各チューナ部（０１０２、０１０３）の選局を受付けるように構成されている。「選局を受付ける」とは、ユーザのチャンネル切替ボタンの押圧操作などにより、地上アナログ放送用又は地上デジタル放送用チューナを所望のチャンネルに合わせるためのチャンネル情報を取得することをいう。チャンネル選択部は、受付けたチャンネル情報に基づき、チューナ部に対して選局信号を出力する。
【００１４】
図２を用いて、地上デジタル放送におけるチャンネル選択とＴＶ放送出力の流れの一例を簡単に説明する。まず、操作入力部（０２０７）を介してチャンネル情報が入力されると、ＣＰＵ、ＲＯＭ、ＲＡＭなどからなる制御部（０２０６）は、取得したチャンネル情報を復調器（０２０３）を介してチューナ（０２０２）に送る。チューナは、チャンネル情報に基づき、アンテナ（０２０１）で受信した放送信号から選局されたチャネルの放送信号を選択する。選択された放送信号は、復調器にてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調され、さらにＴＳ（Ｔｒａｎｓｐｏｒｔ  Ｓｔｒｅａｍ）デコーダ（０２０４）にてＭＰＥＧ信号とする。そして、ＭＰＥＧデコーダ（０２０５）にて映像信号と音声信号に変換されることにより、映像出力、音声出力とすることが可能となる。また、地上アナログ放送におけるチャンネル選択もほぼ同様であり、チャンネル情報に基づき放送信号を受信し、復調器にてアナログ復調することにより、映像信号と音声信号に変換され、映像出力及び音声出力とすることが可能となる。
【００１５】
「利用終了情報取得部」（０１０４）は、地上アナログ放送の停波にともなう地上アナログ放送用チューナの利用終了情報を取得するように構成されている。「地上アナログ放送用チューナの利用終了情報」とは、地上アナログ放送用チューナを利用しない旨の情報であり、利用終了情報は、実際に地上アナログ放送の停波によるものに限られず、地上アナログ放送の停波に関連する事象によるものもであってもよい。地上アナログ放送に関連する事象とは、例えば、地上デジタル放送の開始や、地上アナログ放送を視聴しないようにする設定などが挙げられる。地上アナログ放送により地上アナログ放送の利用終了を判断する場合としては、例えば、地上アナログ放送の完全停波日を地上アナログ放送の停波と判断することができる。この場合には、ＴＶ放送受信機の内蔵時計により日時を監視しておき、地上アナログ放送の完全停波日にとなったときに利用終了情報を取得することができる。また、地上アナログ放送の同期信号を検出できるか否かを判断し、同期信号を検出できなかった場合に利用終了情報を取得するようにしてもよい。また、地上デジタル放送により地上アナログ放送の利用終了を判断する場合としては、例えば、地上デジタル放送の同期信号を検出できるか否かにより判断するようにしてもよい。この場合には、地上デジタル放送の同期信号が検出できた場合には、地上アナログ放送の利用終了であると判断し、利用終了情報を取得するようにすることができる。
【００１６】
また、利用終了情報取得部は、ＣＰＵ、ＲＯＭ、ＲＡＭなどから構成することができる。ＲＯＭの所定の領域に、上記のような地上アナログ放送の停波に関連する事象と地上アナログ放送用チューナの利用終了情報とを対応付けたテーブルを記憶しておく。そして、地上アナログ放送の停波に関連する事象をＲＡＭに保持したときに、ＲＯＭに保持されたテーブルをＲＡＭに読み込む。このとき、例えば、取得した地上アナログ放送の停波に関連する事象に利用終了情報が対応付けられていた場合には「０」のフラグを立て、対応付けられていない場合には「１」のフラグを立て、ＲＯＭの所定の領域に格納する。このようにして、利用終了情報取得部は、地上アナログ放送用チューナの利用終了情報を取得することができる。
【００１７】
「電源制御部」（０１０５）は、取得した利用終了情報に応じて地上アナログ放送用チューナ部（０１０１）への電源（０１３０）の供給を停止するように構成されている。地上アナログ放送の停波にともない地上アナログ放送用チューナの利用終了情報を取得した場合には、利用終了情報取得部（０１０４）は取得した利用終了情報を電源制御部に出力する。電源制御部は、利用終了情報を取得し、地上アナログ放送用チューナ部への電源の供給を停止する。これにより、地上アナログ放送用チューナ部の使用電力を削減することができる。さらに、地上アナログ放送用チューナ部自体が起動しないため、待機電力も削減することができる。電源制御部は、ＣＰＵ、ＲＯＭ、ＲＡＭなどから構成することができる。利用終了情報取得部にて説明した例と同様に、利用終了情報を取得した場合には「０」のフラグがＲＯＭの所定の領域に格納されているものとする。このとき、電源制御部のＣＰＵは、ＲＯＭの所定の領域を検索し「０」が格納されていた場合には、地上アナログ放送用チューナ部への電源の供給を停止するためのプログラムを起動し、処理を行う。ＲＯＭの所定の領域を検索し「１」が格納されていた場合には、地上アナログ放送用チューナ部への電源の供給を継続する。
【００１８】
図３を用いて、地上アナログ放送用チューナ部への電源の供給を停止する方法の一例を説明する。図においては、スイッチＡ（０３０５）、スイッチＢ（０３０６）、制御部（０３０７）が電源制御部に該当する。地上アナログ放送が停波されていない時は、スイッチＡ（０３０５）は図に示すように接続状態となっており、地上アナログ放送用チューナ（０３０４）に電源（０３０３）から電力を供給しておく。また、地上デジタル放送用チューナ（０３０２）へは別途電源（０３０１）から電力を供給する。操作入力部（０３１１）を介して入力されたユーザのチャンネル選局に従い、制御部（０３０７）はスイッチＢ（０３０６）を制御し、映像出力部（０３０９）に接続する放送波を選択することができる。つまり、画面表示重畳部（０３０８）と地上アナログ放送用チューナ（０３０４）とを接続することにより地上アナログ放送が視聴可能となり、画面表示重畳部と地上デジタル放送用チューナ（０３０２）とを接続することにより地上デジタル放送が視聴可能となる。図３は、地上アナログ放送が視聴可能となっている状態を示している。しかし、地上アナログ放送用チューナの利用終了情報を取得した場合には、制御部は地上アナログ放送用チューナへの電力を供給するスイッチＡを開くとともに、地上デジタル放送用チューナと画面表示重畳部とを接続するようにスイッチＢを制御する。これにより、地上アナログ放送は視聴することができない状態となるとともに、地上アナログ放送に関連する電力を削減することができる。
【００１９】
また、電源制御部（０１０５）は、地上アナログ放送用チューナ部（０１０１）への電源の供給を停止する前に、ユーザに対し電源（０１３０）の供給を停止する旨を報知するようにしてもよい。これにより、ユーザは地上アナログ放送が停波されたため、あるいは地上デジタル放送が開始されたため、地上アナログ放送を受信する必要がないことを知ることができる。また、報知後にユーザに地上デジタル放送への移行を行うかの選択を行わせるようにしてもよい。これにより、ユーザは、地上アナログ放送を受信する必要がないことを知った上で、地上アナログ放送用チューナ部への電源の供給を停止することができる。上記報知は、地上アナログ放送用チューナの利用終了情報を取得した場合に、図３の場合であれば、制御部（０３０７）において取得した報知情報を画面表示重畳部（０３０８）に出力し、画面表示させることができる。
【００２０】
<実施形態１の処理の流れ>
図４は、実施形態１の処理の流れの一例を示した図である。地上アナログ放送が停波されたか否かを検知し（Ｓ０４０１）、地上アナログ放送が停波されたとの検知結果であった場合には（Ｓ０４０１ＹＥＳ）、地上アナログ放送用チューナの利用終了情報を取得する（Ｓ０４０２）。そして、取得した利用終了情報に応じて地上アナログ放送用チューナ部への電源の供給を停止する（Ｓ０４０３）。また、地上アナログ放送が停波されていないとの検知結果であった場合には（Ｓ０４０１ＮＯ）、地上アナログ放送の受信動作を継続する（Ｓ０４０４）。
【００２１】
図５は、実施形態１の別の処理の流れの一例を示した図である。まず、地上デジタル放送が受信可能か否かを検知し（Ｓ０５０１）、地上デジタル放送が受信可能であった場合には（Ｓ０５０１ＹＥＳ）、地上アナログ放送用チューナの利用終了情報を取得する（Ｓ０５０２）。また、地上デジタル放送が受信できなかった場合には（Ｓ０５０１ＮＯ）、地上アナログ放送の受信を継続する（Ｓ０５０６）。次に、ユーザに対し地上デジタル放送の開始を報知し（Ｓ０５０３）、地上デジタル放送へ移行するか否かを選択させる（Ｓ０５０４）。このとき、地上デジタル放送への移行が選択された場合には、取得した利用終了情報に応じて地上アナログ放送用チューナ部への電源の供給を停止する（Ｓ０５０５）。また、地上デジタル放送へ移行しないとの選択が行われた場合には（Ｓ０５０４ＮＯ）、地上アナログ放送の受信動作を継続する（Ｓ０５０６）。
【００２２】
なお、以上の処理は、計算機に実行させるためのプログラムで実行させることができ、また、このプログラムを計算機によって読み取り可能な記録媒体に記録することができる（本明細書の全体を通して同様である。）。
【００２３】
<実施形態１の効果>
本実施形態のＴＶ放送受信機によれば、地上アナログ放送の停波後には地上アナログ放送用チューナへの電源の供給を停止することができる。これにより、利用しない地上アナログ放送用チューナ部の待機電力を削減することができる。また、地上アナログ放送あるいは地上デジタル放送から地上アナログ放送用チューナの利用終了情報を取得するため、ユーザが煩わしい設定を行わなくとも、地上デジタル放送への移行を行うことができる。
【００２４】
<<実施形態２>>
<実施形態２の概要>
本実施形態は、地上アナログ放送用チューナの利用終了情報に応じて、地上アナログ放送用チューナ部の選局の受付けを停止することを特徴とするＴＶ放送受信機に関する。
【００２５】
<実施形態２の構成>
図６は、本実施形態の機能ブロックの一例を示している。本実施形態の「ＴＶ放送受信機」（０６００）は、実施形態１を基本とし、「地上アナログ放送用チューナ部」（０６０１）と、「地上デジタル放送用チューナ部」（０６０２）と、「チャンネル選択部」（０６０３）と、「利用終了情報取得部」（０６０４）と、「電源制御部」（０６０５）を有し、さらに「チャンネル選択部制御部」（０６０６）を有する。
【００２６】
「チャンネル選択部制御部」（０６０６）は、取得した利用終了情報に応じて、チャンネル選択部（０６０３）における地上アナログ放送用チューナ部（０６０１）の選局の受付けを停止するように構成されている。「取得した利用終了情報」とは、地上アナログ放送用チューナの利用終了情報をいい、利用終了情報取得部（０６０４）にて取得された情報である。実施形態１にて説明したＴＶ放送受信機は、地上アナログ放送が停波された場合あるいは地上デジタル放送が視聴可能となった場合においては、地上アナログ放送用チューナ部への電力供給は停止される。しかし、その電力供給停止後にチャンネル選択部にて地上アナログ放送の選局を受付けた時には、放送を受信していないためチャンネルを選局しても表示部（図示せず）には何も表示されず、ユーザが戸惑う可能性がある。そのため、チャンネル選択部制御部は、利用終了情報に応じて地上アナログ放送用チューナ部の選局の受付けを停止するように制御する。受付けを停止する方法は、種々の方法を用いることができる。例えば、チャンネル選択部にて受付けたチャンネル情報をチューナ部に出力しないようにしたりすることができる。また、チャンネル選択のための画面表示を行う場合に、地上アナログ放送のチャンネルは選択できないように制御したり、地上アナログ放送のチャンネルを表示しないようにしてもよい。これにより、地上アナログ放送用チューナ部への選局自体が受付けられないため、受信していないチャンネルが選局されることがなく、表示部に何も表示されずユーザが戸惑うことがない。さらに、地上アナログ放送が選局された場合には、その度に画面表示や音により報知を行うようにしてもよい。これにより、さらにユーザの戸惑いをなくすことができる。チャンネル選択部制御部は、ＣＰＵ、ＲＯＭ、ＲＡＭなどから構成することができ、チャンネル選択部にて受付けられたチャンネル情報が地上アナログ放送の選局か否かを判断する。そして、受付けたチャンネル情報が地上アナログ放送の選局であった場合には、受付けたチャンネル情報を地上アナログ放送用チューナ部に出力しないように制御する。
【００２７】
<実施形態２の処理の流れ>
図７は、実施形態２の処理の流れの一例を示した図である。まず、地上アナログ放送が停波されたか否かを検知（Ｓ０７０１）し、地上アナログ放送が停波されたとの検知結果であった場合には（Ｓ０７０１ＹＥＳ）、地上アナログ放送用チューナの利用終了情報を取得する（Ｓ０７０２）。次に、取得した利用終了情報に応じて地上アナログ放送用チューナ部への電源の供給を停止するとともに（Ｓ０７０３）、地上アナログ放送用チューナ部の選局の受付けを停止する（Ｓ０７０５）。なお、Ｓ０７０３とＳ０７０５の順序は逆であってもよい。また、地上アナログ放送が停波していないと判断した場合には（Ｓ０７０１ＮＯ）、地上アナログ放送の受信動作を継続する（Ｓ０７０４）。
【００２８】
<実施形態２の効果>
本実施形態のＴＶ放送受信機によれば、地上アナログ放送の停波後には地上アナログ放送用チューナ部への電源の供給を停止するとともに、地上アナログ放送用チューナ部への選局を停止することができる。これにより、利用しない地上アナログ放送用チューナ部の待機電力を削減することができるとともに、受信していない地上アナログ放送のチャンネルが選局されることがないため、表示部に何も表示されずユーザが戸惑うということがない。
【００２９】
<<実施形態３>>
<実施形態３の概要>
本実施形態は、地上アナログ放送用チューナの利用終了情報に応じて、地上アナログ放送の停波を示すメッセージを表示することを特徴とするＴＶ放送受信機に関する。
【００３０】
<実施形態３の構成>
図８は、本実施形態の機能ブロックの一例を示している。本実施形態の「ＴＶ放送受信機」（０８００）は、実施形態１を基本とし、「地上アナログ放送用チューナ部」（０８０１）と、「地上デジタル放送用チューナ部」（０８０２）と、「チャンネル選択部」（０８０３）と、「利用終了情報取得部」（０８０４）と、「電源制御部」（０８０５）を有し、さらに「報知部」（０８０６）を有する。図８は、実施形態１を基本としているが、実施形態２を基本とするものであってもよい。
【００３１】
「報知部」（０８０６）は、取得した利用終了情報に応じて、チャンネル選択部（０８０３）における地上アナログ放送用チューナ部（０８０１）の選局をその後受付けた場合には、地上アナログ放送の停波を示すメッセージを表示するように構成されている。「その後」とは、利用終了情報の取得後をいい、利用終了情報に応じて地上アナログ放送用チューナ部への電力の供給が停止された後をいう。すなわち、地上アナログ放送用チューナ部への電力の供給が停止された後に地上アナログ放送用チューナ部の選局を受付けた場合には、報知部は地上アナログ放送の停波を示すメッセージの表示を行う。表示するメッセージは、地上アナログ放送の停波を示すものであれば特に限定されず、例えば、「地上アナログ放送は終了しています」、「地上デジタル放送に切り替えました」、「地上アナログ放送は選局できません」などのメッセージが挙げられる。このように地上アナログ放送の停波を示すメッセージを表示することにより、ユーザは地上アナログ放送が表示されないことを容易に把握することができる。また、メッセージとともに報知音を出力してもよい。これにより、視覚に加え聴覚によっても地上アナログ放送の停波を知ることができる。
【００３２】
報知部は、ＣＰＵ、ＲＯＭ、ＲＡＭなどから構成することができる。実施形態１の利用終了情報取得部にて説明した例と同様に、利用終了情報取得部が利用終了情報を取得した場合には「０」のフラグを立てているものとする。このとき、報知部のＣＰＵは、ＲＯＭの所定の領域を検索し「０」が格納されていた場合には、ＲＯＭの所定の領域に格納された地上アナログ放送の停波を示すメッセージを表示するための情報をＲＡＭに読み出す。これを実行することにより、地上アナログ放送の停波を示すメッセージを表示することができる。
【００３３】
<実施形態３の処理の流れ>
図９に本実施形態の処理の流れの一例を示している。まず、地上アナログ放送が停波されたか否かを検知（Ｓ０９０１）し、地上アナログ放送が停波されたとの検知結果であった場合には（Ｓ０９０１ＹＥＳ）、地上アナログ放送用チューナの利用終了情報を取得する（Ｓ０９０２）。そして、取得した利用終了情報に応じて、地上アナログ放送用チューナ部への電源の供給を停止する（Ｓ０９０３）。その後、チャンネル選択部における地上アナログ放送用チューナ部の選局を受付ける（Ｓ０９０５）。このとき、選局が地上アナログ放送用チューナ部の選局である場合には（Ｓ０９０６ＹＥＳ）、地上アナログ放送の停波を示すメッセージを表示する（Ｓ０９０７）。また、選局が地上デジタル放送用チューナ部への選局であった場合には（Ｓ０９０６ＮＯ）、選局された地上デジタル放送を受信する。なお、地上アナログ放送が停波されていないとの判断した場合には（Ｓ０９０１ＮＯ）、地上アナログ放送の受信動作を継続する（Ｓ０９０４）。
【００３４】
<実施形態３の効果>
本実施形態のＴＶ放送受信機によれば、地上アナログ放送の停波後には地上アナログ放送用チューナ部への電源の供給を停止するとともに、その後地上アナログ放送用チューナ部への選局を受付けた場合に、地上アナログ放送の停波を示すメッセージを表示することができる。これにより、利用しない地上アナログ放送用チューナ部の待機電力を削減することができるとともに、表示されるメッセージによりユーザは地上アナログ放送が停波したことを容易に把握することができる。
【００３５】
<<実施形態４>>
<実施形態４の概要>
本実施形態は、地上アナログ放送用チューナの利用終了情報を、地上デジタル放送の開始により取得するＴＶ放送受信機に関する。また、本実施形態のＴＶ放送受信機は、地上デジタル放送の開始の検知が、誤り訂正部のエラー判定により行う点を特徴とする。
【００３６】
<実施形態４の構成>
図１０は、本実施形態の機能ブロックの一例を示している。本実施形態の「ＴＶ放送受信機」（１０００）は、実施形態１を基本とし、「地上アナログ放送用チューナ部」（１００１）と、「地上デジタル放送用チューナ部」（１００２）と、「チャンネル選択部」（１００３）と、「利用終了情報取得部」（１００４）と、「電源制御部」（１００５）を有し、さらに利用終了情報取得部が「地上デジタル放送開始検知手段」（１００６）を有することを特徴とする。図１０は、実施形態１を基本としているが、実施形態２又は３を基本とするものであってもよい。
【００３７】
「地上デジタル放送開始検知手段」（１００６）は、利用終了情報取得部（１００４）の有する手段であり、地上デジタル放送用チューナ部（１００２）から取得した信号を復調した後の誤り訂正部のエラー判定により地上デジタル放送の開始を検知することで地上アナログ放送用チューナの利用終了情報とするように構成されている。地上デジタル放送は、地上デジタル放送用チューナにて受信した放送信号を復調した後、誤り訂正部にてエラー判定を行う。誤り訂正が行えずエラーを検出した場合には、地上デジタル放送が受信できていないため、地上デジタル放送はまだ開始されていないと判断することができる。そのため、地上デジタル放送開始検知手段は、地上アナログ放送用チューナの利用終了とは判断しない。しかし、誤り訂正部にてエラーが検出されない、あるいは所定のエラー訂正回数以下で地上デジタル放送信号を正常に復調することができた場合には、地上デジタル放送が開始されていると判断することができる。そのため、地上デジタル放送開始検知手段は、地上アナログ放送用チューナの利用停止と判断し、利用終了情報とすることができる。
【００３８】
<実施形態４の処理の流れ>
図１１に本実施形態の処理の流れの一例を示している。まず、地上デジタル放送を受信し（Ｓ１１０１）、誤り訂正を行う（Ｓ１１０２）。このとき、所定のエラー訂正回数以下にて誤り訂正を行うことができた場合には（Ｓ１１０３ＹＥＳ）、地上アナログ放送用チューナの利用終了情報を取得する（Ｓ１１０４）。そして、取得した利用終了情報に応じて地上アナログ放送用チューナ部への電源の供給を停止する（Ｓ１１０５）。また、所定のエラー訂正回数以下にてエラー訂正を行えなかった場合には（Ｓ１１０３ＮＯ）、地上アナログ放送の受信動作を継続する。
【００３９】
<実施形態４の効果>
本実施形態のＴＶ放送受信機によれば、地上アナログ放送の停波を地上デジタル放送の誤り訂正部のエラー判定により検知することができる。これにより、地上アナログ放送の停波時期によらず、地上デジタル放送が開始された段階で地上デジタル放送に移行することができるため、地上アナログ放送用チューナ部の使用電力を削減することができる。
【図面の簡単な説明】
【００４０】
【図１】実施形態１を説明する機能ブロック図
【図２】放送のチャンネル選局方法を説明する図
【図３】電源の制御方法の一例を説明する図
【図４】実施形態１の処理の流れの一例を示す図
【図５】実施形態１の別の処理の流れの一例を示す図
【図６】実施形態２を説明する機能ブロック図
【図７】実施形態２の処理の流れの一例を示す図
【図８】実施形態３を説明する機能ブロック図
【図９】実施形態３の処理の流れの一例を示す図
【図１０】実施形態４を説明する機能ブロック図
【図１１】実施形態４の処理の流れの一例を示す図
【符号の説明】
【００４１】
０１００    ＴＶ放送受信機
０１０１    地上アナログ放送用チューナ部
０１０２    地上デジタル放送用チューナ部
０１０３    チャンネル選択部
０１０４    利用終了情報取得部
０１０５    電源制御部
０１１０    地上アナログ放送用アンテナ
０１２０    地上デジタル放送用アンテナ
０１３０    電源
【図１】
2008118193.tif 000003
【図２】
2008118193.tif 000004
【図３】
2008118193.tif 000005
【図４】
2008118193.tif 000006
【図５】
2008118193.tif 000007
【図６】
2008118193.tif 000008
【図７】
2008118193.tif 000009
【図８】
2008118193.tif 000010
【図９】
2008118193.tif 000011
【図１０】
2008118193.tif 000012
【図１１】
2008118193.tif 000013